(57)【要約】【課題】消毒液タンクの上方への移動を阻止することができ、バンド部材の負担を軽減できる取付構造を提供する。【解決手段】農作業車に固定されるタンク載置台２と、該タンク載置台２の側部から立上り、断面円形をなす消毒液タンク１１の周面に当接して該消毒液タンク１１の横方向三方への移動を規制する二つの横移動規制部材３，３と、該横移動規制部材３，３の上部から前記消毒液タンク１１の上面と向き合うべき位置へ延出され、該消毒液タンク１１の上方への移動を規制する上移動規制部材４と、前記横移動規制部材３，３の途中に取着され、前記消毒液タンク１１を抱持するバンド部材５とを備え、消毒液タンク１１の上方への移動を阻止することができ、バンド部材５の負担を軽減できるようにした。【選択図】図４
2008017780.tif 000002
【特許請求の範囲】
【請求項１】
農作業車に搭載される消毒液タンクを前記農作業車に取付ける取付構造において、前記農作業車に固定されるタンク載置台と、該タンク載置台の側部から立上り、前記消毒液タンクの周面に当接して該消毒液タンクの横方向三方への移動を規制する横移動規制部材と、該横移動規制部材の上部から前記消毒液タンクの上面と向き合うべき位置へ延出され、該消毒液タンクの上方への移動を規制する上移動規制部材と、前記横移動規制部材の途中に取着され、前記消毒液タンクを抱持するバンド部材とを備えることを特徴とする消毒液タンクの取付構造。
【請求項２】
前記横移動規制部材は、横方向へ離隔する二つの位置に配設されており、前記上移動規制部材は前記横移動規制部材の上部に跨設されている請求項１記載の消毒液タンクの取付構造。
【請求項３】
前記農作業車の前部に取着され、前記タンク載置台を前記農作業車の左右両側に左右方向への摺動を可能に支持する支持部材と、前記タンク載置台の摺動位置を調整する調整部材とを備える請求項１又は２記載の消毒液タンクの取付構造。
【発明の詳細な説明】
【技術分野】
【０００１】
本発明は消毒液を土壌に散布することにより土壌を消毒する土壌消毒装置に使用される消毒液タンクの取付構造に関する。
【背景技術】
【０００２】
圃場等の土壌を消毒し、土壌中の病原菌、害虫を駆除する土壌消毒装置は、トラクタ等の農作業車の前部に搭載される消毒液タンク、及び該消毒液タンク内の消毒液を吸込むポンプと、前記農作業車の後部に装着され、前記ポンプが送液する消毒液を圃場等の土壌に散布する複数のノズル（散布部）とを備える（例えば、特許文献１参照）。
【０００３】
また、土壌消毒装置は、トラクタ等の農作業車の後部に三点リンク機構により装着される支持台に、消毒液タンクと、該消毒液タンク内の消毒液を吸込むポンプと、該ポンプが送液する消毒液を圃場等の土壌に散布する複数のノズルと、該ノズルから土壌表面に散布された消毒液を土壌に混和する混和ロータリとを備えるものが知られている（例えば、特許文献２参照）。
【０００４】
ところで、土壌消毒液は臭化メチル剤が用いられており、この臭化メチル剤を水で希釈して散布されていた。しかし、臭化メチル剤は刺激臭が比較的強く、また、引火性が比較的高いため、最近では臭化メチル剤の代替剤として開発されたカーバムナトリウム塩からなる土壌消毒液が使用されている。
【０００５】
この代替剤は原液が消毒液タンク内に収容され、原液を散布することが可能になっている。また、代替剤が収容された消毒液タンクは、上部の天壁に開設された入出口が蓋体により閉塞されている密閉構造の円筒形をなしている。従って、この円筒形をなす消毒液タンクが農作業車に取付けられる。
【０００６】
図７は消毒液タンクの従来の取付構造を示す概略横断平面図である。従来の取付構造は、前記農作業車に固定されるタンク載置台１００と、該タンク載置台１００の側部から立上り、前記消毒液タンクＡのほぼ半分を受入れて消毒液タンクＡの横方向への移動を規制する横移動規制壁１０１と、該横移動規制壁１０１の上部に取着され、消毒液タンクＡの外周部を抱持するバンド部材１０２とを備え、該バンド部材１０２の抱持力により消毒液タンクＡを固定するように構成されている。
【特許文献１】特開２００１−１７８３４８号公報
【特許文献２】実開平５−５３４８２号公報
【発明の開示】
【発明が解決しようとする課題】
【０００７】
以上のように構成された従来の土壌消毒装置において、特許文献２のように農作業車の後部に三点リンク機構により装着される支持台に消毒液タンクが取付けられるものにあっては、農作業車が圃場で走行し土壌消毒作業が行われるとき、前記支持台が比較的大きく振動するため、バンド部材の抱持力では消毒液タンクの固定状態を維持することが困難である。
【０００８】
また、特許文献１のように農作業車の前部に消毒液タンクが取付けられるものにあっては、土壌消毒作業時に消毒液タンクが振動するのを低減できる。しかし、圃場周りの畦超えとか、溝超え等比較的大きい凹凸部を走行するとき、比較的大きい押上力が急激に消毒液タンクに加わることがある。従って、図７のように構成された取付構造により消毒液タンクが取付けられる場合、前記押上力によりバンド部材が破損し、消毒液タンクが離脱したり、損傷したりすることになり、改善策が要望されていた。
【０００９】
本発明は上述のような事情に鑑みてなされたものであり、主たる目的は消毒液タンクの周面に当接して該消毒液タンクの横方向への移動を規制する横移動規制部材と、消毒液タンクの上方への移動を規制する上移動規制部材と、前記横移動規制部材の途中に取着されるバンド部材とを備えることにより、消毒液タンクの上方への移動を阻止することができ、バンド部材の負担を軽減できる消毒液タンクの取付構造を提供することにある。
【００１０】
また、他の目的は横方向へ離隔する二つの位置に横移動規制部材を配設し、横移動規制部材の上部に上移動規制部材を跨設することにより、比較的少ない材料で横移動規制部材を構成することができるに拘らず、横移動規制部材の耐強度を高めることができる消毒液タンクの取付構造を提供することにある。
【００１１】
また、他の目的はタンク載置台を農作業車の左右両側に摺動を可能に支持し、タンク載置台の摺動位置を調整する調整部材を設けることにより、消毒液タンクが搭載される農作業車の種類に対応して消毒液タンクの離隔距離を調整することができる消毒液タンクの取付構造を提供することにある。
【課題を解決するための手段】
【００１２】
第１発明に係る消毒液タンクの取付構造は、農作業車に搭載される消毒液タンクを前記農作業車に取付ける取付構造において、前記農作業車に固定されるタンク載置台と、該タンク載置台の側部から立上り、前記消毒液タンクの周面に当接して該消毒液タンクの横方向三方への移動を規制する横移動規制部材と、該横移動規制部材の上部から前記消毒液タンクの上面と向き合うべき位置へ延出され、該消毒液タンクの上方への移動を規制する上移動規制部材と、前記横移動規制部材の途中に取着され、前記消毒液タンクを抱持するバンド部材とを備えることを特徴とする。
【００１３】
第１発明にあっては、タンク載置台に載置されている消毒液タンクに押上力が加わるとき、該消毒液タンクの上面が上移動規制部材に当接し、該上移動規制部材により消毒液タンクの上面への移動を阻止することができる。従って、バンド部材の負担を軽減でき、バンド部材の破損をなくすることができるとともに、消毒液タンクの損傷を防ぐことができる。
【００１４】
第２発明に係る消毒液タンクの取付構造は、前記横移動規制部材は、横方向へ離隔する二つの位置に配設されており、前記上移動規制部材は前記横移動規制部材の上部に跨設されていることを特徴とする。
【００１５】
第２発明にあっては、バンド部材により抱持された消毒液タンクの周方向の一部を二つの横移動規制部材の間から外部へ突出させ、消毒液タンクの横方向三方への移動を阻止することが可能であるため、バンド部材の負担をより一層軽減でき、押上力によるバンド部材の破損、及び消毒液タンクの損傷をより一層防ぐことができる。しかも、横移動規制部材の上部に上移動規制部材が跨設されているため、二つの横移動規制部材の間が空洞であり、横移動規制部材を小形にできるに拘らず横移動規制部材及び上移動規制部材の前記押上力に対する剛性を高めることができ、コストを低減できる。
【００１６】
第３発明に係る消毒液タンクの取付構造は、前記農作業車の前部に取着され、前記タンク載置台を前記農作業車の左右両側に左右方向への摺動を可能に支持する支持部材と、前記タンク載置台の摺動位置を調整する調整部材とを備えることを特徴とする。
【００１７】
第３発明にあっては、農作業車の前部の左右両側に消毒液タンクを配置することができ、しかも調整部材を操作することにより前記左右両側の消毒液タンクの左右方向位置を調整することができる。従って、消毒液タンクが搭載される農作業車の種類に対応して消毒液タンクの離隔距離を調整することができ、消毒液タンクが農作業車の前方視界の邪魔になるのを防ぐことができる。
【発明の効果】
【００１８】
第１発明によれば、タンク載置台に載置されている消毒液タンクに押上力が加わるとき、該消毒液タンクの上方への移動を上移動規制部材により阻止することができるため、バンド部材の負担を軽減でき、バンド部材の破損をなくすることができるとともに、消毒液タンクの損傷を防ぐことができる。
【００１９】
第２発明によれば、消毒液タンクの横方向三方への移動を阻止することが可能であるため、押上力によるバンド部材の破損、及び消毒液タンクの損傷をより一層防ぐことができ、しかも、横移動規制部材の上部に上移動規制部材が跨設されているため、横移動規制部材を小形にできるに拘らず横移動規制部材及び上移動規制部材の前記押上力に対する剛性を高めることができ、コストを低減できる。
【００２０】
第３発明によれば、農作業車の前部の左右両側に配置される消毒液タンクの左右方向位置を調整することができるため、消毒液タンクが搭載される農作業車の種類に対応して消毒液タンクの離隔距離を調整することができ、消毒液タンクが農作業車の前方視界の邪魔になるのを防ぐことができる。
【発明を実施するための最良の形態】
【００２１】
以下本発明をその実施の形態を示す図面に基づいて詳述する。図１は本発明に係る消毒液タンクの取付構造を備える土壌消毒装置の構成を示す概略側面図、図２は消毒液タンクの取付構造の構成を示す正面図、図３は取付構造の構成を示す平面図、図４は取付構造の構成を示す拡大した側面図、図５は要部の構成を示す簡略斜視図、図６は要部の構成を示す簡略横断平面図である。
【００２２】
土壌消毒装置は、運転席１０ａを有し、前後左右の車輪１０ｂ，１０ｃにより支持された機体１０と、該機体１０の前部で、且つ左右両側に搭載された二つの消毒液タンク１１，１１及び消毒液タンク１１，１１内の消毒液を第１吸込管２１により吸込むポンプ１２と、機体１０の後部に装着される支持台１３と、該支持台１３に装着され、ポンプ１２の吐出路に送液管により接続されて圃場等の土壌に消毒液を散布する複数の散布部１４（ノズル）とを備える。尚、第１吸込管２１はポンプ１２の吸込口に接続される元管と、該元管に後記する管保持具２０により連なる先管とを有する。
【００２３】
支持台１３には、散布部１４から消毒液が散布された土壌を耕耘して前記消毒液を土壌に混和する混和ロータリ１５と、該混和ロータリ１５が混和した混和土壌部の高さに支持台１３を支持する左右一対のゲージ輪１６，１６と、該ゲージ輪１６，１６間の耕耘土壌部を被覆するマルチシートのロール１７と、該ロール１７から引出されたマルチシートの幅方向両側部を押さえる左右一対のシート押え輪１８，１８と、該シート押え輪１８，１８が押さえたマルチシートの両側部に土寄せする左右一対の土寄輪１９，１９とを、この順序で機体１０の進行方向前方から順次配設されている。
【００２４】
消毒液タンク１１は上部の天壁に入出口を有し、該入出口を閉塞する蓋体を備える密閉構造の円筒形をなしており、臭化メチル剤の代替剤として開発されたカーバムナトリウム塩からなる土壌消毒液の原液が収容されている。そして、ポンプ１２の吸込口に接続されるとき、前記蓋体を取外し、前記入出口の夫々に管保持具２０が嵌着される。また、消毒液タンク１１内の上部には空気溜りがある。
【００２５】
機体１０には後側の車輪１０ｃ，１０ｃを駆動するエンジンが搭載されており、該エンジンの出力軸にクラッチを介してポンプ１２及び混和ロータリ１５が連動連結されている。また、機体１０の前部にはその長手方向が左右方向となるように配置された杆状のヒッチが設けられている。
【００２６】
消毒液タンク１１を取付ける取付構造は、前記ヒッチに取外しを可能に取着される支持部材１と、該支持部材１の両端側に左右方向への摺動を可能に固定されるタンク載置台２と、該タンク載置台２の側部から立上り、消毒液タンク１１の二つの周方向位置に当接して該消毒液タンク１１の横方向三方への移動を規制する二つの横移動規制部材３，３と、該横移動規制部材３，３の上部から前記消毒液タンク１１の上面と向き合うべき位置へ延出され、該消毒液タンク１１の上方への移動を規制する上移動規制部材４と、前記横移動規制部材３，３の途中に取着され、前記消毒液タンク１１を抱持するバンド部材５とを備える。
【００２７】
支持部材１は前記ヒッチに複数本のボルトにより取着されるベース部１ａと、該ベース部１ａから左右両側へ延出された二つの第１の角杆部１ｂ，１ｂと、上下に離隔して一つの第１の角杆部１ｂと平行的に延出された第２の角杆部１ｃとを有し、第１の角杆部１ｂ，１ｂにタンク載置台２が支持され、第２の角杆部１ｃにポンプ台６及び該ポンプ台６に載置固定されるポンプ１２を被覆するポンプカバー７が取付けられている。
【００２８】
タンク載置台２は、平面視矩形をなし、機体１０の進行方向に対して上下に傾斜する台部２ａと、該台部２ａの下面に固定された環部２ｂとを有し、該環部２ｂが第１の角杆部１ｂ，１ｂに摺動可能に挿嵌され、環部２ｂの周方向一箇所に螺着された調整螺子８を操作することによりタンク載置台２の摺動位置を調整することができるように構成されている。
【００２９】
横移動規制部材３，３はタンク載置台２の一辺から左右に離隔して立上り、消毒液タンク１１の二つの周方向位置に当接して該消毒液タンク１１の機体進行方向前方及び左右方向への移動を規制する杆状をなし、該横移動規制部材３，３の上下方向の途中にバンド部材５が取着される取着部３ａが設けられている。また、一方の横移動規制部材３には第１吸込管２１の先管に設けられているストレーナを受止めるストレーナ受部９が取着部３ａに取着されている。
【００３０】
ストレーナ受部９は下端にフランジ９ａを有し、内部に前記先管が挿入される筒形をなし、フランジ９ａが複数のボルト２３により取着部３ａに取着されることにより、フランジ９ａと横移動規制部材３との間でバンド部材５の途中を挾着するように構成されている。
【００３１】
バンド部材５は一端にバックル５ａを有し、途中が前記したように挾着されており、他端側をバックル５ａに挿通して締込むことができるように構成されている。
【００３２】
上移動規制部材４は両端部が横移動規制部材３，３の上端部に結合される杆板状をなしている。
【００３３】
以上のように構成された消毒液タンクの取付構造はタンク載置台２，２が支持部材１の第１の角杆部１ｂ，１ｂに摺動を可能に取着されているため、機体前部の幅寸法が比較的狭い機種の場合、調整螺子８を操作してタンク載置台２，２の離隔距離を短くし、機体前部の幅寸法が比較的広い機種の場合、調整螺子８を操作してタンク載置台２，２の離隔距離を長くする。そして、左右のタンク載置台２，２に消毒液タンク１１，１１を載置する。この消毒液タンク１１は周方向の一側が横移動規制部材３，３の間の空洞に嵌まり、消毒液タンク１１の周方向の二箇所が横移動規制部材３，３に当接し、横方向三方（機体走行方向後方、左右方向）への移動を規制することができ、また、消毒液タンク１１の上面が上移動規制部材４と僅かに接触する。この状態でバンド部材５を操作し、該バンド部材５により消毒液タンク１１の周部を抱持し、該バンド部材５と横移動規制部材３，３とにより消毒液タンク１１を固定する。
【００３４】
このように消毒液タンク１１が取付けられた状態で散布する場合等、消毒液タンク１１に上方へ大きな押上力が加わったとき、この押上力を上移動規制部材４で受止めることができ、バンド部材５に加わる負荷を低減することができる。
【００３５】
尚、以上のように二つの消毒液タンク１１が取付けられた土壌消毒装置において、市販の消毒液タンク１１は入出口に蓋体が取着され、密閉構造になっているため、前記蓋体を取外し、第１及び第２の貫通孔を有する管保持具２０を蓋体に替えて前記入出口に嵌着する。そして、一方の消毒液タンク１１の管保持具２０の第１の貫通孔に、一端がポンプ１２の吸込口に接続される第１吸込管２１の元管の他端側を挿通し、該元管に前記先管を内嵌し、前記第２の貫通孔に第２吸込管２２の一端側を挿通する。また、他方の消毒液タンク１１の管保持具２０の第１の貫通孔に第２吸込管２２の他端側を挿通し、第２の貫通孔に吸気管を挿通する。
【００３６】
この作業準備の後、エンジンにより後輪１０ｃ，１０ｃ、ポンプ１２及び混和ロータリ１５が駆動され、運転席１０ａに搭乗した作業者が機体１０を走行させつつ散布部１４から消毒液を散布することにより土壌の消毒作業を行う。
【００３７】
ポンプ１２の駆動により一方の消毒液タンク１１内の消毒液が第１吸込管２１を経てポンプ１２に吸込まれつつ一方の消毒液タンク１１内の上部の空気溜りが負圧となり、二つの消毒液タンク１１，１１の間で差圧が発生し、この差圧（負圧による吸込作用）により他方の消毒液タンク１１内の消毒液が第２吸込管２２を経て一方の消毒液タンク１１内に流入し、経時に伴い他方の消毒液タンク１１内の消毒液がなくなり、続いて一方の消毒液タンク１１内の消毒液が第１吸込管２１を経てポンプ１２に吸込まれ、一方の消毒液タンク１１内の消毒液がなくなるまで連続して土壌消毒を行うことができる。このように途中で消毒液タンク１１，１１を交換することなく、二つの消毒液タンク１１，１１内の消毒液がなくなるまで連続して土壌消毒を行うことができるため、連続消毒作業時間を長くすることができ、しかも、二つの消毒液タンク１１，１１間で吸込みが途切れることなく、連続して吸込むことができるため、途中で空気がポンプ１２に吸込まれるのを防ぐことができ、また、二つの消毒液タンク１１，１１間で消毒液タンク１１，１１を交換する必要がないため、消毒液タンク１１の交換時機に気配りする必要がなく、消毒作業性を向上できる。
【００３８】
また、一つの消毒液タンク１１内の消毒液が消費される時間、即ち、散布作業時間は散布部１４から単位時間当たりに散布される散布量と、機体の走行速度とによりほぼ推察することができるため、二つの消毒液タンク１１の液容量以上の消毒液を連続して散布する場合、第２の消毒液タンク１１内の消毒液が消費される散布作業時間が経過したとき、ポンプ１２に空気を吸込ませることなく他方の消毒液タンク１１を交換することができる。このような連続散布作業を行う場合、予備の管保持具２０の第１貫通孔に予備の第２吸込管２２の他端側が挿通され、第２貫通孔に予備の吸気管が挿通されている一つ又は複数の吸込ユニットが準備される。そして、他方の消毒液タンク１１内の消毒液が消費されたとき、一方の消毒液タンク１１の入出口に嵌着されている管保持具２０の第２貫通孔から第２吸込管２２の一端側を抜き出し、他方の消毒液タンク１１の入出口に嵌着されている管保持具２０とともに他方の消毒液タンク１１を、未使用の消毒液タンク１１と交換し、該消毒液タンク１１の入出口に前記吸込ユニットの管保持具２０を嵌着し、該吸込ユニットの第２吸込管２２の一端側を、一方の消毒液タンク１１の管保持具２０の第２貫通孔に挿通する。このとき、第２吸込管２２の一端は一方の消毒液タンク１１内の上部の空気溜りに開口するため、上述したようにポンプ１２に空気を吸込ませることなく他方の消毒液タンク１１を交換することができ、空気抜き作業は不必要である。また、他方の消毒液タンク１１内の消毒液がなくなり、一方の消毒液タンク１１内の消毒液を消費し始める程度の散布作業時間で他方の消毒液タンク１１の交換を行えば、他方の消毒液タンク１１内の消毒液を完全に使い切ることができ、消毒液の無駄を最小限に抑えることができる。
【００３９】
尚、以上説明した実施の形態では、トラクタからなる機体１０の後部に支持台１３が装着された農作業車の前部に消毒液タンク１１を取付ける構造について説明したが、その他、消毒液タンク１１は前記支持台１３に取付けられるものであってもよい。また、走行型農作業車に消毒液タンク１１が取付けられる構成である他、歩行型農作業車に消毒液タンク１１が取付けられる構成であってもよい。
【図面の簡単な説明】
【００４０】
【図１】本発明に係る消毒液タンクの取付構造を備える土壌消毒装置の構成を示す概略側面図である。
【図２】本発明に係る消毒液タンクの取付構造の構成を示す正面図である。
【図３】本発明に係る取付構造の構成を示す平面図である。
【図４】本発明に係る取付構造の構成を示す拡大した側面図である。
【図５】本発明に係る取付構造の要部の構成を示す概略斜視図である。
【図６】本発明に係る取付構造の要部の構成を示す概略横断平面図である。
【図７】消毒液タンクの従来の取付構造を示す概略横断平面図である。
【符号の説明】
【００４１】
１    支持部材
２    タンク載置台
３    横移動規制部材
４    上移動規制部材
５    バンド部材
８    調整螺子（調整部材）
１０  機体（農作業車）
１１  消毒液タンク
【図１】
2008017780.tif 000003
【図２】
2008017780.tif 000004
【図３】
2008017780.tif 000005
【図４】
2008017780.tif 000006
【図５】
2008017780.tif 000007
【図６】
2008017780.tif 000008
【図７】
2008017780.tif 000009